(57)【要約】【課題】ユーザの意図しない入力がタッチパネルから行われることを防止する。【解決手段】タッチパネル（１２）からの入力を受け付けるか否かを判断するタッチ入力許否部（３０）は、操作ボタン（１４）が押下されたことを検知すると、タッチパネル（１２）からの入力を拒否する。【選択図】図１
2016126626.tif 000002
【特許請求の範囲】
【請求項１】
ユーザからの入力を受け付ける入力装置であって、
操作ボタンと、
タッチパネルと、
前記タッチパネルからの入力を受け付けるか否かを判断するタッチ入力許否部と、を備えており、
該タッチ入力許否部は、前記操作ボタンが押下されたことを検知すると、前記タッチパネルからの入力を拒否することを特徴とする入力装置。
【請求項２】
前記タッチ入力許否部は、前記タッチパネルからの入力を拒否している場合に前記タッチパネルにおけるタッチアップを検知すると、前記タッチパネルからの入力を受け付けることを特徴とする請求項１に記載の入力装置。
【請求項３】
前記タッチ入力許否部は、前記タッチパネルにおけるタッチアップを検知してから所定期間が経過した後に、前記タッチパネルからの入力を受け付けることを特徴とする請求項２に記載の入力装置。
【請求項４】
前記操作ボタンは、前記タッチパネルに重畳されていることを特徴とする請求項１から３までの何れか１項に記載の入力装置。
【請求項５】
前記タッチパネルからの入力に基づくカーソルを表示するように外部の表示装置を制御する表示制御部をさらに備えており、
該表示制御部は、前記タッチ入力許否部が前記タッチパネルからの入力を拒否する場合、前記カーソルの表示を中止するように前記表示装置を制御することを特徴とする請求項１から４までの何れか１項に記載の入力装置。
【請求項６】
請求項１から５までの何れか１項に記載の入力装置としてコンピュータを機能させるための制御プログラムであって、前記各部としてコンピュータを機能させるための制御プログラム。
【請求項７】
請求項６に記載の制御プログラムを記録したコンピュータ読み取り可能な記録媒体。
【請求項８】
ユーザから操作ボタンおよびタッチパネルを介しての入力を受け付ける入力装置の制御方法であって、
前記タッチパネルからの入力を受け付けるか否かを判断するタッチ入力許否ステップを含んでおり、
該タッチ入力許否ステップは、前記操作ボタンが押下されたことを検知すると、前記タッチパネルからの入力を拒否することを特徴とする入力装置の制御方法。
【発明の詳細な説明】
【技術分野】
【０００１】
本発明は、ユーザからの入力を受け付ける入力装置、その制御方法および制御プログラム、並びに記録媒体に関する。具体的には、本発明は、タッチパネルと操作ボタンとを備えた入力装置などに関する。
【背景技術】
【０００２】
タッチパネルは、ユーザの指、スタイラスペンのペン先などの物体（以下、「指示体」と称する。）が接触または接近（以下、「タッチ」と称する。）した、当該タッチパネル上の位置を検出し、検出した位置の情報を出力するポインティングデバイスである。上記タッチパネルを表示装置の表示画面に設けることにより、キーボード、マウスなどの入力装置に比べて、直感的な操作が可能となる。
【０００３】
このため、例えば、携帯電話機、スマートフォン、タブレット型端末等の近時の携帯端末には、上記入力装置として、操作ボタンおよびタッチパネルの両方を備えているものが多い。例えば、特許文献１に記載の電子機器では、タッチパネルおよび筐体の周面に複数の操作ボタンが配置されている。
【先行技術文献】
【特許文献】
【０００４】
【特許文献１】特開２０１２−１５５４３４号公報（２０１２年０８月１６日公開）
【発明の概要】
【発明が解決しようとする課題】
【０００５】
上記電子機器では、上記タッチパネルからの入力と、上記操作ボタンからの入力とが、それぞれ別々に制御手段に送信されている。このため、ユーザが上記操作ボタンの操作中に上記タッチパネルに上記指示体がタッチすることにより、ユーザの意図しない入力が上記タッチパネルから行われる虞がある。その結果、上記電子機器においてユーザの意図しない動作が行われる虞がある。
【０００６】
本発明は、上記の問題点に鑑みてなされたものであり、その目的は、ユーザの意図しない入力がタッチパネルから行われることを防止できる入力装置などを提供することにある。
【課題を解決するための手段】
【０００７】
本発明に係る入力装置は、ユーザからの入力を受け付ける入力装置であって、上記課題を解決するために、操作ボタンと、タッチパネルと、前記タッチパネルからの入力を受け付けるか否かを判断するタッチ入力許否部と、を備えており、該タッチ入力許否部は、前記操作ボタンが押下されたことを検知すると、前記タッチパネルからの入力を拒否することを特徴としている。
【０００８】
また、本発明に係る入力装置の制御方法は、ユーザから操作ボタンおよびタッチパネルを介しての入力を受け付ける入力装置の制御方法であって、上記課題を解決するために、前記タッチパネルからの入力を受け付けるか否かを判断するタッチ入力許否ステップを含んでおり、該タッチ入力許否ステップは、前記操作ボタンが押下されたことを検知すると、前記タッチパネルからの入力を拒否することを特徴としている。
【発明の効果】
【０００９】
本発明の一態様によれば、ユーザの意図しない入力がタッチパネルから行われることを防止できるという効果を奏する。
【図面の簡単な説明】
【００１０】
【図１】本発明の一実施形態に係るスマートフォンの概略構成を示すブロック図である。
【図２】上記スマートフォンの外観を示す斜視図である。
【図３】上記スマートフォンにおけるタッチパネルおよび操作ボタンをユーザが操作した場合の入力動作を示す図である。
【図４】上記タッチパネルから受信した入力データを受け付けるタッチ入力許可モードにおける上記スマートフォンの制御部の処理の流れを示すフローチャートである。
【図５】上記入力データを拒否するタッチ入力拒否モードにおける上記制御部の処理の流れを示すフローチャートである。
【図６】本発明の別の実施形態に係る携帯電話機の外観を示す斜視図である。
【図７】上記構成の携帯電話機におけるタッチパネルおよび操作ボタンをユーザが操作した場合の入力動作を示す図である。
【図８】本発明の他の実施形態に係る携帯電話機について、上記タッチ入力拒否モードにおける制御部の処理の流れを示すフローチャートである。
【発明を実施するための形態】
【００１１】
以下、本発明の実施の形態について、詳細に説明する。なお、説明の便宜上、各実施形態に示した部材と同一の機能を有する部材については、同一の符号を付記し、適宜その説明を省略する。
【００１２】
〔実施形態１〕
まず、本発明の一実施形態について、図１〜図５を参照して説明する。
【００１３】
（スマートフォンの概要）
図２は、本実施形態に係るスマートフォン（入力装置）１の外観を示す斜視図である。図示のように、スマートフォン１は、筐体１１の上面にタッチパネル１２および表示デバイス１３が設けられ、これらの周囲に複数の操作ボタン１４が設けられている。すなわち、本実施形態では、タッチパネル１２と操作ボタン１４とが重畳されてはいない。
【００１４】
タッチパネル１２は、上述のように、タッチされた位置を検出し、検出した位置の情報を入力データとして出力するポインティングデバイスである。本実施形態では、タッチパネル１２として投影型静電容量方式のものが利用されている。静電容量方式の場合、ユーザは指示体をタッチパネル１２に接近させればよく、直接接触させる必要は無い。従って、本実施形態では、表示デバイス１３の下方にタッチパネル１２が設けられている（図３を参照）。なお、タッチパネル１２の詳細は公知であるので、その説明を省略する。
【００１５】
表示デバイス１３は、表示画面に画像を表示するものであり、ＬＣＤ（Liquid Crystal Display）、ＥＬ（Electroluminescence）ディスプレイ、電子ペーパなどが利用される。なお、表示デバイス１３の詳細は公知であるので、その説明を省略する。
【００１６】
操作ボタン１４は、ハードウェアのボタンであり、スマートフォン１における各種設定や機能切替を行うための機能ボタンである。該機能ボタンの例としては、スマートフォン１の電源のＯＮ／ＯＦＦを切り替える電源ボタン、音量を上げたり下げたりするための音量調節ボタン、スマートフォン１に設けられたカメラ（図示せず）で撮影するためのシャッタボタンなどが挙げられる。
【００１７】
本実施形態では、スマートフォン１は、操作ボタン１４が押下されたことを検知すると、タッチパネル１２からの入力を拒否するようになっている。これにより、ユーザが操作ボタン１４の操作中にタッチパネル１２に指示体がタッチされたとしても、ユーザの意図しない入力がタッチパネル１２から行われることを防止できる。
【００１８】
また、本実施形態では、タッチパネル１２からの入力を拒否している場合にタッチパネル１２におけるタッチアップを検知すると、タッチパネル１２からの入力を受け付けるようになっている。これにより、ユーザは、操作ボタン１４の操作の終了後に、タッチパネル１２へのタッチを開始（タッチダウン）し、タッチパネル１２へのタッチを終了（タッチアップ）すれば、タッチパネル１２からの入力が可能となるので、ユーザの意図する入力をタッチパネル１２から直ちに行うことができる。
【００１９】
（スマートフォンの詳細）
図１は、スマートフォン１の概略構成を示すブロック図である。図示のように、スマートフォン１は、制御部２０、記憶部２１、入力部２２、および表示部（表示装置）２３を備える構成である。
【００２０】
制御部２０は、スマートフォン１内の各種構成を統括的に制御するものであり、ＣＰＵ（Central Processing Unit）などのプロセッサを備える構成である。記憶部２１は、各種のデータおよびプログラムを記憶するものであり、ＲＡＭ（Random Access Memory）、ＲＯＭ（Read Only Memory）、フラッシュメモリなどの記憶素子を備える構成である。なお、制御部２０の詳細については後述する。
【００２１】
入力部２２は、スマートフォン１の表面に設けられたタッチパネル１２および複数の操作ボタン１４などの入力デバイスをユーザが操作することにより、該操作に基づく入力データを作成して制御部２０に送信するものである。
【００２２】
表示部２３は、制御部２０から画像データを受信し、受信した画像データに基づいて表示画面に画像を表示するものである。具体的には、表示部２３は、上述の表示デバイス１３と、受信した画像データに基づいて表示デバイス１３を駆動するドライバ回路とを備える構成である。
【００２３】
次に、制御部２０の詳細について説明する。図１に示すように、制御部２０は、タッチ入力許否部３０、入力処理部３１、および表示制御部３２を備える構成である。
【００２４】
タッチ入力許否部３０は、タッチパネル１２から受信した入力データを受け付けるか否かを判断するものである。具体的には、タッチ入力許否部３０は、タッチパネル１２から受信した入力データを受け付けるタッチ入力許可モードと、当該入力データを拒否するタッチ入力拒否モードとを有する。
【００２５】
上記タッチ入力許可モードでは、タッチパネル１２から受信した入力データが入力処理部３１その他のブロックに送出される。これにより、上記入力データに基づく入力処理が行われることになる。一方、上記タッチ入力拒否モードでは、上記入力データの送出が中止される。これにより、上記入力データに基づく入力処理が拒否されることになる。
【００２６】
さらに、タッチ入力許否部３０は、上記タッチ入力許可モードにおいて、何れかの操作ボタン１４が押下されたことを検知すると、上記タッチ入力拒否モードに遷移する。何れかの操作ボタン１４が押下されたことは、操作ボタン１４からの入力データを受信することにより検知できる。なお、任意の操作ボタン１４が押下されたことを示す信号を受信することにより検知してもよい。
【００２７】
また、タッチ入力許否部３０は、上記タッチ入力拒否モードにおいて、タッチパネル１２におけるタッチアップを検知すると、上記タッチ入力許可モードに遷移する。上記タッチアップは、タッチの位置を含む入力データを受信しなくなったことにより検知できる。なお、タッチの終了を示す入力データを受信することにより検知してもよい。
【００２８】
また、タッチ入力許否部３０は、上記タッチ入力拒否モードにおいて、タッチパネル１２におけるタッチアップを検知すると、上記タッチ入力許可モードに遷移する。上記タッチアップは、タッチの終了を示す入力データ、またはタッチの終了位置を含む入力データをタッチパネル１２から受信することにより検知できる。
【００２９】
入力処理部３１は、タッチパネル１２からの入力データを、タッチ入力許否部３０を介して受信すると共に、操作ボタン１４からの入力データを受信し、受信した入力データに基づいて、各種の処理を行うものである。
【００３０】
表示制御部３２は、表示部２３に対して表示制御を行うものであり、具体的には、表示部２３に画像を表示するための表示データを作成して、表示部２３に送信するものである。
【００３１】
本実施形態では、タッチ入力許否部３０は、上記タッチ入力許可モードでは、タッチパネル１２からの入力データに含まれるタッチの位置に基づきカーソルを表示するように、表示制御部３２を介して表示部２３に指示する。また、タッチ入力許否部３０は、上記タッチ入力拒否モードでは、上記カーソルの表示を中止（消去）するように、表示制御部３２を介して表示部２３に指示する。
【００３２】
これにより、ユーザは、カーソルが表示部２３に表示されているか否かにより、上記タッチ入力許可モードおよび上記タッチ入力拒否モードの何れであるかを認識することができる。なお、所定の操作ボタン１４が押下された場合にのみカーソルＣの表示を中止する構成としてもよい。
【００３３】
なお、記憶部２１には、現在の状態が上記タッチ入力許可モードおよび上記タッチ入力拒否モードの何れであるかを示すモードデータ、上記カーソルの表示位置を示す座標データなどが記憶されていてもよい。
【００３４】
（入力の動作）
図３は、上記構成のスマートフォン１について、ユーザの指先がタッチパネル１２および操作ボタン１４を操作した場合の入力動作を示す図である。同図において、下段にはスマートフォン１の断面図が示され、上段には表示デバイス１３の画面が示されている。
【００３５】
まず、電源投入後の初期状態では、上記タッチ入力許可モードの状態となっている。図３の（ａ）は、上記タッチ入力許可モードの場合を示している。この場合、タッチパネル１２および操作ボタン１４の両方からの入力が可能であり、表示デバイス１３にはカーソルＣが表示されている。
【００３６】
次に、図３の（ｂ）に示すように、ユーザＵの指先が何れかの操作ボタン１４を押下すると、上記タッチ入力拒否モードに遷移する。この場合、操作ボタン１４からの入力は可能であるが、タッチパネル１２からの入力は拒否される。また、表示デバイス１３におけるカーソルＣの表示が中止される。
【００３７】
次に、図３の（ｃ）に示すように、ユーザＵの指先がタッチパネル１２にタッチしても、上記タッチ入力拒否モードが維持される。従って、タッチパネル１２へのタッチは検知されるが、検知されたタッチに基づく入力処理は行われない。
【００３８】
次に、図３の（ｄ）に示すように、ユーザＵの指先がタッチパネル１２からタッチアップすると、上記タッチ入力許可モードに遷移する。このとき、上記タッチアップされた位置に基づきカーソルＣが表示される。なお、ユーザＵの指先がタッチパネル１２に再びタッチしたときに、該タッチされた位置に基づきカーソルＣが表示されてもよい。
【００３９】
次に、図３の（ｅ）に示すように、ユーザＵの指先がタッチパネル１２にタッチしてスライドしても、上記タッチ入力許可モードが維持される。従って、タッチパネル１２からの入力が可能であり、図示の例では、上記スライドに従ってカーソルＣの表示位置が変更される。
【００４０】
（入力の処理）
図４および図５は、上記構成のスマートフォン１について、ユーザがタッチパネル１２および操作ボタン１４を操作した場合の入力処理の流れを示すフローチャートである。
具体的には、図４は、上記タッチ入力許可モードにおける制御部２０の処理の流れを示しており、図５は、上記タッチ入力拒否モードにおける制御部２０の処理の流れを示している。
【００４１】
図４に示すように、上記タッチ入力許可モードでは、制御部２０は、入力部２２から入力データを取得するまで待機する（Ｓ１０）。該入力データを取得すると、入力処理部３１は、取得した入力データに基づく処理を実行すると共に（Ｓ１１）、タッチ入力許否部３０は、当該入力データが操作ボタン１４からのものであるか否かを判断する（Ｓ１２）。
【００４２】
上記入力データが操作ボタン１４からの入力データではない場合、すなわちタッチパネル１２からの入力データである場合には、ステップＳ１０に戻って上記処理を繰り返す。一方、上記入力データが操作ボタン１４からの入力データである場合、タッチ入力許否部３０は、カーソルＣの消去を、表示制御部３２を介して表示部２３に指示する（Ｓ１３）。その後、上記タッチ入力拒否モードに遷移する。
【００４３】
図５に示すように、上記タッチ入力拒否モードでは、制御部２０は、入力部２２から入力データを取得するまで待機する（Ｓ２０）。該入力データを取得し、取得した入力データが操作ボタン１４からのものである場合（Ｓ２１にてＹＥＳ）、入力処理部３１は、取得した入力データに基づく処理を実行する（Ｓ２２）。その後、ステップＳ２０に戻って上記処理を繰り返す。
【００４４】
一方、取得した入力データが操作ボタン１４からのものではない場合、すなわちタッチパネル１２からのものである場合には（Ｓ２１にてＮＯ）、タッチ入力許否部３０は、当該入力データが、タッチアップを示すものであるか否かを判断する（Ｓ２３）。上記入力データがタッチアップを示すものではない場合、タッチ入力許否部３０は、タッチパネル１２からの入力データを拒否するので、ステップＳ２２は行わずにステップＳ２０に戻って上記処理を繰り返す。
【００４５】
一方、上記入力データがタッチアップを示すものである場合、タッチ入力許否部３０は、タッチアップされた位置に基づくカーソルＣの表示を、表示制御部３２を介して表示部２３に指示する（Ｓ２４）。その後、上記タッチ入力許可モードに遷移する。
【００４６】
〔実施形態２〕
本発明の別の実施形態について、図６および図７を参照して説明する。図６は、本実施形態に係る携帯電話機（入力装置）２の外観を示す斜視図である。図示のように、本実施形態の携帯電話機２は、いわゆるクラムシェル型であり、同図に開いた状態で示されている。図示の携帯電話機２を閉じたときに内側となる部分が、携帯電話機２を開いたときにユーザが主に利用する側であり、この側を本願では前面側とする。
【００４７】
図６に示されるように、携帯電話機２は、本体５０と、蓋体５１とからなり、本体５０と蓋体５１とはヒンジ状に連結している。蓋体５１の前面側には表示デバイス１３が設けられている。
【００４８】
本体５０の前面側には、タッチパネル１２と、複数の操作ボタン１４からなる操作ボタン群５２とが設けられている。すなわち、本実施形態では、タッチパネル１２上に操作ボタン１４が載置されている。さらに、本実施形態では、操作ボタン１４に指示体が接触するとタッチパネル１２におけるタッチを検知する一方、操作ボタン１４から指示体が離間するとタッチパネル１２におけるタッチアップを検知するように、タッチパネル１２の感度が調整される。
【００４９】
操作ボタン群５２は、携帯電話機２における各種設定や機能切替を行うための機能ボタン群５３と、数字や文字などの記号を入力するための入力ボタン群５４とから構成されている。具体的には、機能ボタン群５３は、上述の電源ボタンおよび音量調整ボタン、通話を開始させるオフフックボタン、通話を終了させるオンフックボタン、撮影モードを起動させるカメラボタン、メールモードを起動させるメールボタン、選択対象を上下左右方向に移動させるための４つのカーソルキー（カーソルボタン）、４つのカーソルキーの中央に配置されており種々の選択を決定する決定ボタンなどを含んでいる。また、入力ボタン群５４は、テンキーである。
【００５０】
なお、本実施形態の携帯電話機２における概略構成は、図１に示すスマートフォン１の概略構成と同様であるので、その説明を省略する。また、本実施形態の携帯電話機２における入力の処理は、図４および図５に示すスマートフォン１における入力の処理と同様であるので、その説明を省略する。
【００５１】
ところで、図１〜図５に示すスマートフォン１の場合、操作ボタン１４を押下して上記タッチ入力拒否モードに遷移した後、上記タッチ入力許可モードに戻るには、タッチパネル１２に対しタッチダウンしてタッチアップする操作が必要である。
【００５２】
これに対し、本実施形態の携帯電話機２の場合、操作ボタン１４を押下すると、上記タッチ入力拒否モードに遷移すると共に、タッチパネル１２にタッチダウンすることになる。従って、上記タッチ入力許可モードに戻るには、操作ボタン１４から指示体を離間すればよく、タッチパネル１２に対しタッチダウンしてタッチアップする操作が不要である。その結果、上記タッチ入力拒否モードから上記タッチ入力許可モードへの遷移をスムーズに行うことができる。
【００５３】
（入力の動作）
図７は、上記構成の携帯電話機２について、ユーザがタッチパネル１２および操作ボタン１４を操作した場合の入力動作を示す図である。同図において、下段には本体５０の断面図が示され、上段には蓋体５１における表示デバイス１３の画面が示されている。
【００５４】
まず、電源投入後の初期状態では、上記タッチ入力許可モードの状態となっている。図７の（ａ）は、上記タッチ入力許可モードの場合を示している。この場合、タッチパネル１２および操作ボタン１４の両方からの入力が可能であり、表示デバイス１３にはカーソルＣが表示されている。
【００５５】
次に、図７の（ｂ）に示すように、ユーザＵの指先が何れかの操作ボタン１４を押下すると、タッチパネル１２へのタッチを検知すると共に、上記タッチ入力拒否モードに遷移する。この場合、操作ボタン１４からの入力は可能であるが、タッチパネル１２からの入力は拒否される。従って、検知したタッチに基づく入力処理は行われない。また、表示デバイス１３におけるカーソルＣの表示が中止される。
【００５６】
次に、図７の（ｃ）に示すように、ユーザＵの指先が操作ボタン１４の表面をスライドさせても、上記タッチ入力拒否モードが維持される。従って、タッチパネル１２へのタッチは検知され続けるが、検知されたタッチに基づく入力処理は行われない。
【００５７】
次に、図７の（ｄ）に示すように、ユーザＵの指先が操作ボタン１４の表面から離間すると、タッチパネル１２からのタッチアップを検知すると共に、上記タッチ入力許可モードに遷移する。このとき、上記タッチアップされた位置に基づきカーソルＣが表示される。なお、ユーザＵの指先が操作ボタン１４の表面に再びタッチしたときに、該タッチされた位置に基づきカーソルＣが表示されてもよい。
【００５８】
次に、図７の（ｅ）に示すように、ユーザＵの指先が操作ボタン１４の表面にタッチしてスライドしても、上記タッチ入力許可モードが維持される。従って、タッチパネル１２からの入力が可能であり、図示の例では、上記スライドに従ってカーソルＣの表示位置が変更される。
【００５９】
（付記事項）
本実施形態では、タッチパネル１２上に操作ボタン１４が載置されているが、弾力性を有するタッチパネル１２を用いることにより、操作ボタン１４の上にタッチパネル１２を載置することもできる。この場合、通常のタッチパネル１２と同様に、タッチパネル１２に指示体が接触するとタッチを検知する一方、タッチパネル１２から指示体が離間するとタッチアップを検知するように、タッチパネル１２の感度を調整すればよい。従って、タッチパネル１２と操作ボタン１４とが重畳されていれば、本実施形態の作用効果を奏することができる。
【００６０】
〔実施形態３〕
本発明の他の実施形態について、図８を参照して説明する。本実施形態の携帯電話機２は、図６および図７に示す携帯電話機２に比べて、上記タッチ入力拒否モードにおける制御部２０の処理が異なり、その他の構成および処理は同様である。
【００６１】
図８は、本実施形態の上記タッチ入力拒否モードにおける制御部２０の処理の流れを示すフローチャートである。本実施形態では、上記タッチ入力拒否モードにおいてタッチアップを検知してから所定期間（例えば１秒）が経過した後、上記タッチ入力許可モードに遷移している。なお、この所定期間は、記憶部２１に記憶されることが望ましい。
【００６２】
図８に示す処理は、図５に示す処理に比べて、ステップＳ２３・Ｓ２４の間にステップＳ３０〜Ｓ３２が追加されている点が異なり、その他の処理は同様である。
【００６３】
図８に示すように、上記入力データがタッチアップを示すものである場合（Ｓ２３にてＹＥＳ）、タッチ入力許否部３０は、操作ボタン１４からの入力データを取得するか（Ｓ３０）、或いは、所定期間が経過するまで待機する（Ｓ３１）。
【００６４】
所定期間が経過する前に操作ボタン１４からの入力データを取得した場合（Ｓ３０にてＹＥＳ）、入力処理部３１は、取得した入力データに基づく処理を実行する（Ｓ３２）。その後、ステップＳ２０に戻って上記処理を繰り返す。すなわち、上記タッチ入力拒否モードが維持されることになる。一方、操作ボタン１４からの入力データを取得せずに所定期間が経過した場合（Ｓ３１にてＹＥＳ）、カーソルＣが表示されて（Ｓ２４）、上記タッチ入力許可モードに遷移する。
【００６５】
従って、本実施形態では、ユーザＵの指先が操作ボタン１４の表面から離間した状態が所定期間維持された場合に、上記タッチ入力許可モードに遷移して、図７の（ｄ）に示すように、カーソルＣが表示されることになる。また、上記所定期間に操作ボタン１４が押下された場合には、上記タッチ入力拒否モードが維持されて、図７の（ｂ）に示す状態に戻ることになる。
【００６６】
これにより、例えば、ユーザＵが操作ボタン１４からの連続入力を意図しているにもかかわらず、指先が操作ボタン１４から離間することにより、タッチパネル１２からの入力が開始されてしまい、ユーザＵの意図しない入力が行われることを防止することができる。
【００６７】
（付記事項）
なお、本発明は、スマートフォン１および携帯電話機２に限定されるものではなく、ＰＨＳ（Personal Handyphone System）端末、ＰＤＡ（Personal Digital Assistant）、ノート型ＰＣ（Personal Computer）などの携帯端末に適用することができる。さらに、本発明は、タッチパネル１２および操作ボタン１４を備える入力部２２と、制御部２０とを備える任意の入力装置に対し適用することができる。
【００６８】
〔ソフトウェアによる実現例〕
スマートフォン１および携帯電話機２の制御ブロック（特に制御部２０）は、集積回路（ＩＣチップ）等に形成された論理回路（ハードウェア）によって実現してもよいし、ＣＰＵ（Central Processing Unit）を用いてソフトウェアによって実現してもよい。
【００６９】
後者の場合、スマートフォン１および携帯電話機２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７０】
〔まとめ〕
本発明の態様１に係る入力装置（スマートフォン１、携帯電話機２）は、ユーザからの入力を受け付ける入力装置であって、操作ボタン（１４）と、タッチパネル（１２）と、前記タッチパネルからの入力を受け付けるか否かを判断するタッチ入力許否部（３０）と、を備えており、該タッチ入力許否部は、前記操作ボタンが押下されたことを検知すると、前記タッチパネルからの入力を拒否する構成である。
【００７１】
上記の構成によると、操作ボタンが押下されると、タッチパネルからの入力が拒否される。これにより、ユーザが上記操作ボタンの操作中に上記タッチパネルに指示体がタッチされたとしても、ユーザの意図しない入力が上記タッチパネルから行われることを防止できる。
【００７２】
ところで、ユーザは、上記タッチパネルへのタッチダウンを行うと、上記タッチパネルからのタッチアップを必ず行うことになる。そこで、本発明の態様２に係る入力装置は、上記態様１において、前記タッチ入力許否部は、前記タッチパネルからの入力を拒否している場合に前記タッチパネルにおけるタッチアップを検知すると、前記タッチパネルからの入力を受け付けてもよい。これにより、ユーザは、上記操作ボタンの操作の終了後に、上記タッチパネルに対しタッチダウンおよびタッチアップを行えば、上記タッチパネルからの入力が可能となるので、ユーザの意図する入力を上記タッチパネルから直ちに行うことができる。
【００７３】
なお、上記の場合、ユーザが上記操作ボタンを操作する間に上記タッチパネルに上記指示体を複数回タッチすることにより、ユーザの意図しない入力が上記タッチパネルから行われる虞がある。そこで、本発明の態様３に係る入力装置は、上記態様２において、前記タッチ入力許否部は、前記タッチパネルにおけるタッチアップを検知してから所定期間が経過した後に、前記タッチパネルからの入力を受け付けてもよい。この場合、ユーザが上記操作ボタンを連続して操作する間に上記タッチパネルに上記指示体が複数回タッチされたとしても、ユーザの意図しない入力が上記タッチパネルから行われることを防止できる。
【００７４】
本発明の態様４に係る入力装置は、上記態様１から３において、前記操作ボタンは、前記タッチパネルに重畳されていてもよい。この場合、上記操作ボタンが押し下げられると、上記タッチパネルにタッチしたことを検知することになるが、上記タッチパネルからの入力が拒否されているので、上記態様１と同様の効果を奏することができる。
【００７５】
さらに、上記操作ボタンまたは上記タッチパネルに指示体が接触すると上記タッチパネルにタッチしたことを検知し、上記操作ボタンまたは上記タッチパネルから上記指示体が離間すると上記タッチパネルからタッチアップしたことを検知するように設定してもよい。この場合、ユーザが上記操作ボタンの操作を終了して上記操作ボタンまたは上記タッチパネルから上記指示体を離間させると、上記タッチパネルからの入力が受け付け可能となるので、ユーザは上記タッチパネルの操作にスムーズに切り替えることができる。
【００７６】
本発明の態様５に係る入力装置は、上記態様１から３において、前記タッチパネルからの入力に基づくカーソルを表示するように外部の表示装置（表示部２３）を制御する表示制御部（３２）をさらに備えており、該表示制御部は、前記タッチ入力許否部が前記タッチパネルからの入力を拒否する場合、前記カーソルの表示を中止するように前記表示装置を制御してもよい。この場合、ユーザは、カーソルが表示装置に表示されていないことにより、タッチパネルからの入力が拒否されていることを認識することができる。
【００７７】
本発明の態様６に係る入力装置の制御方法は、ユーザから操作ボタンおよびタッチパネルを介しての入力を受け付ける入力装置の制御方法であって、前記タッチパネルからの入力を受け付けるか否かを判断するタッチ入力許否ステップを含んでおり、該タッチ入力許否ステップは、前記操作ボタンが押下されたことを検知すると、前記タッチパネルからの入力を拒否する方法である。
【００７８】
上記の方法によると、上記態様１と同様の効果を奏することができる。
【００７９】
本発明の各態様に係る入力装置は、コンピュータによって実現してもよく、この場合には、コンピュータを上記入力装置が備える各部（ソフトウェア要素）として動作させることにより上記入力装置をコンピュータにて実現させる入力装置の制御プログラム、およびそれを記録したコンピュータ読み取り可能な記録媒体も、本発明の範疇に入る。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８１】
本発明は、操作ボタンが押下されると、タッチパネルからの入力が拒否されることにより、ユーザが上記操作ボタンの操作中に上記タッチパネルに指示体がタッチされたとしても、ユーザの意図しない入力が上記タッチパネルから行われることを防止できるので、上記タッチパネルおよび上記操作ボタンを備える任意の入力装置に適用することができる。
【符号の説明】
【００８２】
１  スマートフォン（入力装置）
２  携帯電話機（入力装置）
１１  筐体
１２  タッチパネル
１３  表示デバイス
１４  操作ボタン
２０  制御部
２１  記憶部
２２  入力部
２３  表示部（表示装置）
３０  タッチ入力許否部
３１  入力処理部
３２  表示制御部
５０  本体
５１  蓋体
５２  操作ボタン群
５３  機能ボタン群
５４  入力ボタン群
【図１】
2016126626.tif 000003
【図２】
2016126626.tif 000004
【図３】
2016126626.tif 000005
【図４】
2016126626.tif 000006
【図５】
2016126626.tif 000007
【図６】
2016126626.tif 000008
【図７】
2016126626.tif 000009
【図８】
2016126626.tif 000010